(57)【要約】【課題】大引に床パネルを載設施工した後に界壁用壁材を施工できる。【解決手段】大引１の端部に取付けた大引固定金具２の載置用横片３を基礎４の上面のアンカーボルト５の上方への突出付近に載置する。底片６の両端部から上方に向けて側片７を一体に突設すると共に両側片７から外側方に向けて上横片８を一体に突設してハット型金具９を形成する。ハット型金具９の底片６を大引固定金具２の載置用横片３に載置する。底片６に設けた孔１０にアンカーボルト５の上部を挿入すると共にアンカーボルト５の上端部にナット１１を螺合して底片６により載置用横片３を基礎４上面に押圧固定する。ハット型金具９の上横片８に界壁用下ランナ１２を固着し、界壁用下ランナ１２の少なくとも上部を大引１の上に載設する床パネル１３の上面よりも上方に位置させる。【選択図】        図１
2004218260.tif 000002
【特許請求の範囲】
【請求項１】
大引の端部に取付ける大引固定金具に載置用横片を設け、この大引固定金具の載置用横片を基礎の上面のアンカーボルトの上方への突出付近に載置し、底片の両端部から上方に向けて側片を一体に突設すると共に両側片から外側方に向けて上横片を一体に突設してハット型金具を形成し、該ハット型金具の底片を大引固定金具の載置用横片に載置し、底片に設けた孔にアンカーボルトの上部を挿入すると共にアンカーボルトの上端部にナットを螺合して底片により載置用横片を基礎上面に押圧固定し、ハット型金具の上横片に界壁用下ランナを固着し、界壁用下ランナの少なくとも上部を大引の上に載設する床パネルの上面よりも上方に位置させて成ることを特徴とする基礎への大引及び界壁用下ランナの取付け構造。
【発明の詳細な説明】
【０００１】
【発明の属する技術分野】
本発明は、基礎への大引及び界壁用下ランナの取付け構造に関するものである。
【０００２】
【従来の技術】
従来集合住宅において隣合う住戸間には界壁を形成するが、界壁を形成するに当たっては、図８のように大引１の端部に大引固定金具２の大引固定片１６を固定すると共に大引固定金具２の載置用横片３を基礎４の上面のアンカーボルト５の上方への突出付近に載置し、大引固定片１６上に界壁用下ランナ１２を載置して界壁用下ランナ１２に設けた孔にアンカーボルト５の上部を挿入すると共にアンカーボルト５の上端部にナット１１を螺合して界壁用下ランナ１２により載置用横片３を基礎４上面に押圧固定していた。（例えば、特許文献１参照）
この従来例にあっては、界壁用下ランナ１２をアンカーボルト５とナット１１とで基礎４に固定することで同時に大引１の端部に取付ける大引固定金具２を基礎４に固定できるという特徴を有している。
【０００３】
しかしながら、界壁用下ランナ１２を載置用横片３を介して基礎４上面に取付けるので、界壁用下ランナ１２に界壁用壁材１４の下端部を取付ける作業を行うに当たっては、大引１上に床パネル１３を載設して取付ける作業を行った後においては、界壁用下ランナ１２の上端が床パネル１３の上面よりも下方にずれて位置するため、界壁用壁材１４の下端部を界壁用下ランナ１２にビス打ちできないものである。したがって、従来にあっては、大引１に床パネル１３を載設する作業を行う前に、界壁用下ランナ１２に界壁用壁材１４の下端部を取付ける作業を行う必要がある。
【０００４】
ところが、床パネル１３を施工する前に界壁用壁材１４の施工を行う場合、床が形成してないので、足場が悪く、大引１等に邪魔されて界壁用壁材１４の持ち運びや施工がし難いという問題があり、また、べた基礎から界壁用壁材１４の上端部を取付ける上の界壁用ランナまでの高さが高くなって、この点でも施工がし難いという問題がある。
【０００５】
【特許文献１】
特開平９−１３５４６号公報
【０００６】
【発明が解決しようとする課題】
本発明は上記の点に鑑みてなされたものであり、簡単な構成で、界壁用下ランナ、大引を基礎に取付けることができる共に大引に床パネルを載設施工した後であっても界壁用下ランナを利用して界壁用壁材を施工することが可能となる基礎への大引及び界壁用下ランナの取付け構造を提供することを課題とするものである。
【０００７】
【課題を解決するための手段】
上記課題を解決するために本発明に係る基礎への大引及び界壁用下ランナの取付け構造は、大引１の端部に取付ける大引固定金具２に載置用横片３を設け、この大引固定金具２の載置用横片３を基礎４の上面のアンカーボルト５の上方への突出付近に載置し、底片６の両端部から上方に向けて側片７を一体に突設すると共に両側片７から外側方に向けて上横片８を一体に突設してハット型金具９を形成し、該ハット型金具９の底片６を大引固定金具２の載置用横片３に載置し、底片６に設けた孔１０にアンカーボルト５の上部を挿入すると共にアンカーボルト５の上端部にナット１１を螺合して底片６により載置用横片３を基礎４上面に押圧固定し、ハット型金具９の上横片８に界壁用下ランナ１２を固着し、界壁用下ランナ１２の少なくとも上部を大引１の上に載設する床パネル１３の上面よりも上方に位置させて成ることを特徴とするものである。
【０００８】
このような構成とすることで、大引固定金具２を基礎４上面に固定するためのハット型金具９により界壁用下ランナ１２を基礎４の上面よりも上方に浮かして、界壁用下ランナ１２の少なくとも上部を大引１の上に載設する床パネル１３の上面よりも上方に位置させることができて、これにより大引１上に床パネル１３を載置した後であっても界壁用下ランナ１２の上部を利用して界壁用壁材１４を固着具により固着することができるものである。
【０００９】
【発明の実施の形態】
以下、本発明を添付図面に示す実施形態に基づいて説明する。
【００１０】
大引１には図３に示すように端部に大引固定金具２が取付けてある。大引固定金具２は縦片１５の上端部から外側方に載置用横片３を突設すると共に縦片１５から上記載置用横片３の突出方向と反対方向に大引固定片１６を突出して形成してある。この大引固定金具２は大引固定片１６を大引１の端部の側面にボルト１７により固着してあり、添付図面に示す実施形態では大引１がＣ型鋼よりなる金属製であって大引１のウェッブに固着してある。大引１の端部に大引固定金具２を固定した状態で大引１の上面と載置用横片３の上面とはほぼ同じ高さ位置となっている。
【００１１】
大引１はコンクリート製の基礎４間に配設され、大引１の両端部に固定した大引固定金具２の縦片１５を基礎４の側面に近接対向させると共に載置用横片３を基礎４の上面に載置する。この場合、基礎４の上面のアンカーボルト５の上方への突出位置の付近（添付図面ではアンカーボルト５の上方への突出位置の側部）に載置用横片３を載置する。これは集合住宅における住戸と住戸との境界となる界壁部分における基礎４においても図３、図４，図５に示すように大引固定金具２の載置用横片３を基礎４の上面のアンカーボルト５の上方への突出付近に載置する。
【００１２】
ハット型金具９は図３に示すように、底片６の両端部から上方に向けて側片７を一体に突設すると共に両側片７から外側方に向けて上横片８を一体に突設して形成してある。底辺６にはアンカーボルト５を挿入するための孔１０が設けてある。
【００１３】
このハット型金具９の底片６に設けた孔１０に図３、図４、図５に示すように、アンカーボルト５の上部を挿入し、底片６をアンカーボルト５の両側において基礎４の上面に載置している両側の大引固定金具２の載置用横片３の上に載置する。この状態で、アンカーボルト５の上端部にナット１１を螺合して底片６により載置用横片３を基礎４上面に押圧固定する。
【００１４】
なお、界壁の基礎４の上面から上方に突出するアンカーボルト５のうち大引１を取付けない箇所におけるアンカーボルト５部分においては図３のようにスペーサ１８を基礎４の上面に載置してスペーサ１８の上にハット型金具９を載置してハット型金具９をアンカーボルト５にナット１１により固着する。
【００１５】
ハット型金具９の上横片８には図６に示すように、界壁用下ランナ１２を載設してねじ具１９により固着する。界壁用下ランナ１２は金属製の長尺のものであって、下面片２０の両側に上方に向けて固定用立ち上がり片２１を突設した断面Ｕ状をしている。
【００１６】
このようにしてハット型金具９に界壁用下ランナ１２を取付けることにより界壁用下ランナ１２は基礎４の上面から上方に浮いた状態で取付けられることになる。
【００１７】
図２のように界壁部分における床梁２９の下面部には取付け金具２２により界壁用上ランナ２３が取付けられる。
【００１８】
大引１上には図７に示すように床パネル１３が載設して取付けられる。この場合、既に取付けている界壁用下ランナ１２の上部が床パネル１３の上面よりも上方に位置するように、床パネル１３、界壁用下ランナ１２、ハット型金具９のサイズが設定してある。
【００１９】
また、大引１上に床パネル１３を載設して取付けた状態で床パネル１３の側端部と、ハット型金具９及び界壁用下ランナ１２の固定用立ち上がり片２１との間には界壁用壁材１４を差し込むことができる隙間２４が形成されるようにする。
【００２０】
大引１上への床パネル１３の載設固定後に、界壁用下ランナ１２と界壁用上ランナ２３とに界壁用壁材１４の下端部と上端部とをビスのような固着具２５により固着するのである。すなわち、界壁用壁材１４の界壁用下ランナ１２への取付けをより詳細に説明すると。図１に示すように界壁用下ランナ１２の固定用立ち上がり片２１の上部の床パネル１３の上面より上方に位置する部分を利用して界壁用壁材１４の下端部をビスのような固着具２５により固着するものであり、この場合、界壁用壁材１４の下端部を上記床パネル１３の側端部と、ハット型金具９及び界壁用下ランナ１２の固定用立ち上がり片２１との間に形成された隙間２４に差し込む。そして、界壁用壁材１４と床パネル１３とのなすコーナ部分に幅木２６を取付けるものである。
【００２１】
このように大引１上への床パネル１３の載設固定後に界壁用壁材１４を界壁用下ランナ１２に取付ける施工ができるので、界壁用壁材１４を施工する作業者は床パネル１３上に立って作業ができるものであって、足場が良い状態で界壁用壁材１４の施工ができることになる。
【００２２】
なお、ハット型金具９内や、基礎４上のハット型金具９とハット型金具９との間、界壁用下ランナ１２と界壁用上ランナ２３との間には図１のように耐火材３０を配置するものである。
【００２３】
【発明の効果】
上記のように本発明にあっては、大引固定金具の載置用横片を基礎の上面のアンカーボルトの上方への突出付近に載置し、底片の両端部から上方に向けて側片を一体に突設すると共に両側片から外側方に向けて上横片を一体に突設してハット型金具を形成し、該ハット型金具の底片を大引固定金具の載置用横片に載置し、底片に設けた孔にアンカーボルトの上部を挿入すると共にアンカーボルトの上端部にナットを螺合して底片により載置用横片を基礎上面に押圧固定し、ハット型金具の上横片に界壁用下ランナを固着するので、基礎上に大引の端部に設けた大引固定金具を押圧して取付けるためのハット型金具を利用して界壁用下ランナを基礎から上方に浮かして界壁用下ランナの少なくとも上部を大引の上に載設する床パネルの上面よりも上方に位置させることができて、これにより大引上に床パネルを載置した後であっても界壁用下ランナの上部を利用して界壁用壁材を固着具により固着することが可能となり、この結果、界壁用壁材の施工に当たって作業者が床パネル上に立って足場が良い状態で作業ができるものである。
【図面の簡単な説明】
【図１】本発明の断面図である。
【図２】同上の全体を示す一部省略斜視図である。
【図３】同上のハット型金具により大引固定金具を固定する状態を示す分解斜視図である。
【図４】同上の断面図である。
【図５】同上の平面図である。
【図６】同上のハット型金具上に界壁用下ランナを載設して取付けた状態を示す断面図である。
【図７】同上の大引に床パネルを載設した状態の断面図である。
【図８】従来例の断面図である。
【符号の説明】
１  大引
２  大引固定金具
３  載置用横片
４  基礎
５  アンカーボルト
６  底片
７  側片
８  上横片
９  ハット型金具
１０  孔
１１  ナット
１２  界壁用下ランナ
１３  床パネル
【図１】
2004218260.tif 000003
【図２】
2004218260.tif 000004
【図３】
2004218260.tif 000005
【図４】
2004218260.tif 000006
【図５】
2004218260.tif 000007
【図６】
2004218260.tif 000008
【図７】
2004218260.tif 000009
【図８】
2004218260.tif 000010